(57)【特許請求の範囲】
【請求項１】
主体部の基端部分に把持柄を回転自在に装着し、該把持柄に対して斜め前方に主体部を突出させることによって全体をヘ字状に形成し、主体部の先端に外側方に向けてフックを形成するハッカーにおいて、先端のフックと把持柄の基端部を結ぶ直線距離寸法を平行移動させて主体部及び把持柄にピッチ目印を記載したことを特徴とするピッチ目印付きハッカー。
【請求項２】
主体部に記載する目印は外側方に向けて形成したフックの背面側に記載するとともに、把持柄には目印を全周に記載したことを特徴とする請求項１記載のピッチ目印付きハッカー。
【発明の詳細な説明】
【０００１】
【発明の属する技術分野】
足場工事や鉄筋工事、例えば鉄筋の配筋工事においては、所定間隔に配置した鉄筋の交差位置で縦横の鉄筋を結束線で結束する。この場合に結束線を用いて鉄筋を結束するために、ハッカーと称される工具が使用される。本発明は、上記ハッカーに関する発明である。
【０００２】
【従来の技術】
従来のハッカーは、その表面に寸法目盛りもしくはピッチ目印に相当するものが記載されていなかった。したがって、結束作業に際して、配筋の寸法は別のものさしで確認しながら結束作業を進めなければならなかった。
【０００３】
【発明が解決しようとする課題】
結束に際して結束位置がずれると設計どおりの構造物とならない。そのため、少なくとも配筋位置が大きく狂わない程度の寸法確認をしながら作業を進める必要がある。ところが、従来のように配筋作業に際して一々ものさしを用いて寸法を確認しながら結束作業を進めるのでは手間がかかり不便であり、ハッカーそのものに寸法目盛りが記載してあると便利である。ところが、一直線の長い工具ではないハッカーに、例えば直線部分にのみ寸法目盛りを記載したのでは、記載できる寸法が僅かであるとともに、全体がへ字状に形成されていることから作業状態で寸法を読み取ることができない。
このような実情に鑑み、本発明はハッカーの全長を採寸の対象として有効に活用するとともに、作業状況の中で配筋ピッチを確認しながら作業を進めることが可能なハッカーを提供することを目的とするものである。
【０００４】
【課題を解決するための手段】
上記目的を達成するため、本発明が対象とするハッカーは、主体部１の基端部分に把持柄２を回転自在に装着し、把持柄２に対して斜め前方に主体部１を突出させることによって全体をヘ字状に形成し、主体部１の先端に外側方に向けてフック３が形成されているものである。このようなハッカーにおいて、主体部１先端のフック３と把持柄２の基端部を結ぶ直線距離寸法を、主体部１及び把持柄２に平行移動させて汎用のピッチ寸法、例えば５センチメートル間隔の目印４，５として記載する。
【０００５】
上記構成とすることにより、主体部先端のフックを鉄筋に引っ掛けて把持柄の柄尻を配筋平面に位置させる。その状態で、主体部１及び把持部２に記載した目印４，５によって、配筋の鉄筋と鉄筋の間隔寸法を知ることができる。このとき、主体部１に記載する目印４は外側方に向けて形成したフック２の背面側に記載しておくとともに、把持柄２に記載する目印５は把持柄の全周に記載しておくとよい。このようにしておけば、ハッカーを手に持ちフックを鉄筋に引っ掛けた状態で必要なピッチ寸法を目測することができる。
【０００６】
【発明の実施の形態】
以下、本発明に係るピッチ目印付きハッカーの実施形態を、添付の図面に基づいて説明する。
図１は、把持柄を縦断した本発明に係るハッカー全体の側面図、図２は使用状態を示すハッカー全体の側面図、図３は使用状態を示すハッカー全体の背面図であり、配筋を二点鎖線で示している。
【０００７】
図１に示すハッカーは、工具として取扱い易い任意断面形状、通常角形断面の主体部１の基端部に、主体部１よりも細い直径の円柱状の支持杆1aを一体に形成し、支持杆1aにスリーブ状の把持柄２を回転自在に装着している。主体部１と支持杆1aは一定の角度αでもって形成し、支持杆1aに把持柄２を装着していることから、全体としてへ字状に形成される。把持柄２に対して斜め前方に突出する主体部１の先端には、外側方に向けてフック３が形成してある。このように、主体部１と把持柄２がヘ字状に形成されているハッカーは、先端のフック３に結束線を引っ掛け、把持柄２を持って主体部を回すことによって結束線を捩じって結束作業を行う。
【０００８】
支持杆1aに対してスリーブ状の把持柄２を回転自在に装着するには、図示例のハッカーにおいてはスリーブ２の上下両端に支持杆1aとの軸受け、具体的にはメタル６やボールベアリングを装着するとともに、スリーブが抜け落ちるのを防止するため、支持杆1aの下端に抜け止め７を固定している。したがって、抜け止め７によって把持柄２が脱落するようなことがなく、支持杆1aに対して回転自在に装着することができる。すなわち、抜け止め７が柄尻となる。
【０００９】
本発明は、上記ハッカーの表面、すなわち主体部１と把持柄２にピッチ寸法の目印を記載する。この目印は、図１に二点鎖線で示す先端のフック３と把持柄の基端部を結ぶ直線を基準線Ｘとし、この基準線上の寸法を平行移動させて主体部１に目印４を、把持柄２に目印５をそれぞれ記載する。このとき記載するピッチ目印のピッチ寸法は、フック３を鉄筋などに引っ掛けた状態の鉄筋上端位置、すなわちフックの内面上端を基準位置とし、所定ピッチの寸法Ｌごとの目盛りを記載する。
【００１０】
主体部１に記載する目印４は、主体部の全周に記載しても良いが、外側方に突出しているフック３の背面側にのみ記載してもよい。また、把持柄２に記載する目印５は、把持柄２が回転するため全周に記載しておく。目印４及び５は、激しい作業によって消えないように細溝を刻設し、溝に着色を施しておくと便利である。
【００１１】
本発明に係るハッカーを用いて配筋のピッチ寸法を測るには、図２及び図３に示すように、フック３を特定の鉄筋A1に引っ掛け、把持柄２の基端部分を鉄筋表面に近づけて使用する。この状態で他の鉄筋A2−A6の位置を目印４，５と対比することにより、鉄筋A1−A6のおおよそのピッチを目測することができる。このとき、作業者の視線は通常フックの背面側となることから、主体部の目印４を主体部１の背面部分に記載しておくと、図３に示すように作業をしながら寸法を確認することが可能となる。
【００１２】
主体部１及び把持柄２に記載する目印の間隔は、通常のスケールのように細かな目盛りであってもよいが、必ずしも細かな寸法が記載されている必要はない。その理由は、この目印の目的が、鉄筋などのおおよそのピッチを測りながら能率的に作業を進めることができればよいためである。したがって、目印４，５は一般的によく利用される間隔、例えば５センチメートル間隔ごとに記載されている程度でよい。むしろ、目印が少ないほうが紛らわしくなく、能率的に作業を進めることができるものである。
【００１３】
【発明の効果】
請求項１記載の本発明ピッチ目印付きハッカーによれば、足場工事や鉄筋工事のハッカーを利用した結束作業において、作業者が鉄筋間隔などのピッチ寸法を目測しながら結束作業を進めることが可能となり、極めて能率的かつ正確に鉄筋などの結束作業を行うことができる効果がある。
【００１４】
請求項２記載の発明によれば、結束作業の最も自然な作業姿勢、作業の流れの中で、鉄筋間隔の寸法などを測りながら、より能率的に作業を進めることができる効果がある。
【図面の簡単な説明】
【図１】把持柄を縦断したハッカー全体の側面図、
【図２】図２は使用状態を示すハッカー全体の側面図、
【図３】図３は使用状態を示すハッカー全体の背面図。
【符号の説明】
１…主体部、  1a…支持杆、  ２…把持柄、  ３…フック、  ４，５…目印、
６…メタル、  ７…抜け止め、    A1−A6…鉄筋、  Ｘ…基準線。
【図１】
0003856716.tif 000002
【図２】
0003856716.tif 000003
【図３】
0003856716.tif 000004